(57)【特許請求の範囲】
【請求項１】
予めコンクリートの補修材料を未硬化の状態で封入した容器をコンクリート構造物内に埋設し、コンクリート構造物に発生したひび割れによる応力によって前記容器を破断させ、該容器から流出した前記補修材料を前記ひび割れ内に充填して硬化させるコンクリート構造物の補修方法に用いられる補修部材であって、
プラスチック等の低弾性素材で形成された容器の内部を仕切りによって複数のカプセルに画成し、これらの各カプセル内にコンクリートの補修材料を未硬化の状態で封入して構成したことを特徴とするコンクリート構造物の補修部材。
【請求項２】
プラスチック等の低弾性素材で形成された容器の内部を仕切りによって複数のカプセルに画成し、これらの各カプセル内にコンクリートの補修材料を未硬化の状態で封入して構成した補修部材を用いたコンクリート構造物の補修方法であって、
前記補修部材をコンクリート構造物内に埋設し、コンクリート構造物に発生したひび割れによる応力によって前記容器を破断させ、該容器から流出した前記補修材料を前記ひび割れ内に充填して硬化させることを特徴とするコンクリート構造物の補修方法。
【発明の詳細な説明】
【０００１】
【発明の属する技術分野】
本発明は、コンクリート構造物に発生したひび割れを補修するコンクリート構造物の補修部材及びこの補修部材を用いる補修方法に関する。
【０００２】
【従来の技術】
一般にコンクリート構造物では、温度変化やコンクリートの乾燥収縮、構造物の不同沈下等によってひび割れが生じることがある。特に、コンクリート構造物に設けられた窓等の開口部まわりでは、そのコーナーに応力が集中するためひび割れが生じやすい。ひび割れは漏水の原因となるとともに、このひび割れを介して浸入した空気や水によってコンクリート構造物内部の鉄筋が腐食しコンクリート構造物の強度低下や老朽化の促進を招く惧れがある。
【０００３】
このひび割れの補修方法の一つとして、例えばＵカットシーリング工法がある。例えばコンクリート構造物３０に設けられた窓等の開口部３１のコーナー３１ａに発生したひび割れ３２を、このＵカットシーリング工法によって補修するには、先ず、図３（ａ）及び（ｂ）に示すように、ひび割れ３２に沿って８〜１０ｍｍ幅の断面Ｕ字形の溝３３を形成する。次いで、この溝３３内にポリウレタン系シーリング材や可撓性エポキシ樹脂等の補修材料３４を充填した後、補修の跡を見えなくするために溝３３を塞ぐようにポリマーセメントモルタルの仕上材３５などを塗り付けて仕上げる。
【０００４】
【発明が解決しようとする課題】
しかしながら、上記Ｕカットシーリング工法では、上述したようにその作業工程が多いため施工が煩雑であるという問題があった。また、この工法は、ひび割れが発生してそれが顕在化したとき、初めてひび割れの調査を行い補修方法の検討をし、その後施工作業を行うという作業手順を経るものであるため、ひび割れが発生してから補修作業が開始される間にひび割れが拡大し、これに伴って内部の鉄筋の腐食が進行するという惧れがあった。
【０００５】
そこで、本発明の目的は、上記課題を解決し、コンクリート構造物にひび割れが発生した後即時にひび割れの補修工事を容易に行うことのできるコンクリート構造物の補修部材及びこの補修部材を用いる補修方法を提供することにある。
【０００６】
【課題を解決するための手段】
上記目的を達成するため、本発明のコンクリート構造物の補修部材は、予めコンクリートの補修材料を未硬化の状態で封入した容器をコンクリート構造物内に埋設し、コンクリート構造物に発生したひび割れによる応力によって前記容器を破断させ、該容器から流出した前記補修材料を前記ひび割れ内に充填して硬化させるコンクリート構造物の補修方法に用いられる補修部材であって、プラスチック等の低弾性素材で形成された容器の内部を仕切りによって複数のカプセルに画成し、これらの各カプセル内にコンクリートの補修材料を未硬化の状態で封入して構成したものである（請求項１）。
この補修部材によれば、複数のカプセルが連続してなる容器内に補修材料が未硬化の状態で封入されているので、コンクリート構造物の構築の際には容易にコンクリート内に埋設することができ、上記方法を簡易的に実施することができる。
また、補修材料を補修部材の各カプセル内に各々封入したため、これの埋設作業時にあっては、万が一作業中の事故により容器が破断しても内部の補修材料が全部流出することがなく、事故による損害を最小限に止めることができる。
さらに、ひび割れが発生した際には、ひび割れが発生した箇所のカプセルのみを破断させることができるので、補修材料を所要量だけ流出させることができ経済的であるとともに、時間差をもって複数のひび割れが発生した場合であっても、各ひび割れに対応した箇所のカプセルを順次破断させることができる。
また、本発明のコンクリート構造物の補修方法は、プラスチック等の低弾性素材で形成された容器の内部を仕切りによって複数のカプセルに画成し、これらの各カプセル内にコンクリートの補修材料を未硬化の状態で封入して構成した補修部材を用いたコンクリート構造物の補修方法であって、前記補修部材をコンクリート構造物内に埋設し、コンクリート構造物に発生したひび割れによる応力によって前記容器を破断させ、該容器から流出した前記補修材料を前記ひび割れ内に充填して硬化させるものである（請求項２）。
【０００７】
このコンクリート構造物の補修方法では、コンクリート構造物内におけるひび割れの発生が予想される箇所に容器を埋設し、コンクリート構造物にひび割れが発生した際には、このひび割れによる応力、例えばせん断力や引張力によって容器を破断させ、これの内部に封入した未硬化の状態の補修材料を流出させて、ひび割れに充填し硬化させる。このため、ひび割れの発生とほぼ同時に、しかも自動的にこのひび割れを補修することができ、ひび割れがさらに拡大するのを防ぐことができる。また、補修材料によりひび割れ近傍の鉄筋を被覆することができ、鉄筋が腐食するのを防止することができる。
【００１２】
なお、上記請求項１及び請求項２記載の発明において、コンクリートの補修材料には、硬化前にあっては高い流動性を維持し、硬化後にあっては弾性を保持するシリコーン系、アクリル系、ポリウレタン系等の樹脂素材を含むものを用いることができ、低粘性を維持させるために溶剤や希釈剤を含有させることができる。
【００１３】
【発明の実施の形態】
以下、本発明のコンクリート構造物の補修部材及びこの補修部材を用いる補修方法の実施形態について添付図面に基づいて説明する。図１は、本実施形態に係るコンクリート構造物の補修部材及び補修方法をコンクリート構造物であるコンクリート外壁１０に発生したひび割れ１を補修すべく採用した場合を示す説明図である。また、図２は、本実施形態にかかる補修部材２０を示す斜視図である。
【００１４】
コンクリート外壁１０は、その中央に、窓等を設けるための開口部１１が表裏を貫通させて設けられており、その壁厚内には格子状に鉄筋１２が配設されているとともに、開口部１１の隅角部には鉄筋１２と４５度で交わるように開口補強筋１２ｂが配設されている。また、上記ひび割れ１は、コンクリート外壁１０の内部から表面にかけて発生したものであり、開口部１１のコーナ１１ａより放射状に延びている。
【００１５】
さらに、前記コンクリート外壁１０の壁厚内には、補修部材２０が開口部１１の外周部を囲んで環状に且つ鉄筋１２に近接させて埋設されている。この補修部材２０は、図２に示すように、容器２１の内部を仕切り２３，２３で複数のカプセル２０ａ，２０ａに隔成し、これらの各カプセル内に補修材料２２を封入したものである。
【００１６】
前記容器２１は、コンクリートに発生したひび割れによるせん断力や引張力等の応力によって破断し得る素材で形成されたもので、例えば、弾性率の小さい生分解性プラスチック（グンゼ株式会社製等）や、引張伸びの小さいポリメタクル酸メチル等の素材で形成した筒状のものである。なお、本実施形態では、この容器２１は０．３ｍｍ程度のひび割れを想定して設計されており、容器２１の内径は１０ｍｍ〜１５ｍｍに設定されている。また、この容器２１の外表面には周囲のコンクリートとの付着強度を高めるための凹凸２１ａが多数形成されているとともに、内部の仕切り２３，２３は５０ｍｍ〜１００ｍｍ程度の間隔を置いて配設されている。
【００１７】
一方、前記補修材料２２は、硬化前は低粘性及び高流動性を有し、硬化後は弾性を保持することができる材料であることが好ましく、例えば、一成分型の接着剤、例えばシリコーン系、アクリル系、ポリウレタン系のものに、粘性を確保するための溶剤、希釈剤を使用したものを用いることができる。なお、この補修材料２２は、容器２１が破断した際にひび割れ１内に十分に拡散するように、容器２１の各カプセル２０ａ内に所要の圧力をもって封入されている。
【００１８】
そして、このような補修部材２０のコンクリート外壁１０への埋設は、例えば、この筒状の補修部材２０を開口部１１の周囲に巻き付けるように配置して環状とした後、コンクリート外壁１０の構築の際に配筋された鉄筋１２に、金具１２ａ等を用いて緊結し、その後コンクリートを打設することにより行うことができる。
【００１９】
このとき、容器２１をプラスチック等の低弾性素材で形成したため、取り扱いが容易でありこの補修部材２０の埋設作業の作業性を向上させることができる。特に、本実施形態では、補修部材２０の形状を、複数のカプセル２０ａ、２０ａが連続してなる筒状としたので、開口部１１に巻き付けることにより容易に開口部１１まわりに配置することができる。
【００２０】
なお、本実施形態では、補修材料を封入した容器の態様として、複数のカプセル２０ａが連続してなる筒状の補修部材２０を用いたが、本発明のコンクリート構造物の補修方法はこれに限定されるものではなく、例えば上記容器をチューブ状、或いは複数個に分割されたカプセルとすることもできる。
【００２１】
そして、コンクリート外壁１０に発生したひび割れ１の補修作業は以下の手順により行われる。すなわち、コンクリート外壁１０に発生したひび割れ１による応力によって容器２１を破断させ、容器２１内から補修材料２２を流出させてひび割れ１内に拡散させ充填し、補修材料２２が空気と接触して硬化することによりひび割れ１を補修する。
【００２２】
このとき、特に本実施形態では、補修部材２０を鉄筋１２に近接させて配設したため、容器２１が破断した際には流出した補修材料２２がひび割れ１付近の鉄筋１２の周囲に回り込んでこの鉄筋１２を被覆し、より確実に鉄筋１２の防錆を行うことができる。
【００２３】
さらに、補修材料２２を補修部材２０の各カプセル２０ａ内に各々封入したため、これの埋設作業時にあっては、万が一作業中の事故により容器２１が破断しても内部の補修材料２２が全部流出することがなく、事故による損害を最小限に止めることができ、またひび割れが発生した際には、ひび割れが発生した箇所のカプセル２０ａのみを破断させることができるので、補修材料２２を所要量だけ流出させることができて経済的である。さらには、時間差をもって複数のひび割れが発生した場合であっても、各ひび割れに対応した箇所のカプセル２０ａを順次破断させることができるので、これら複数のひび割れついて個々に対応することができる。
【００２４】
【発明の効果】
以上説明したように、本願請求項１記載のコンクリート構造物の補修部材によれば、複数のカプセルが連続してなる容器内に補修材料が未硬化の状態で封入されているので、コンクリート構造物の構築の際には容易にコンクリート内に埋設することができ、補修を簡易的に実施することができる。
また、上記補修部材によれば、補修材料を補修部材の各カプセル内に各々封入したため、万が一作業中の事故により容器が破断しても、事故による損害を最小限に止めることができる。さらに、ひび割れが発生した箇所のカプセルのみを破断させて、補修材料を所要量だけ流出させることができるので、経済的であり、また、時間差をもって複数のひび割れが発生した場合であっても、各ひび割れに対応した箇所のカプセルを順次破断させることによって、複数のひび割れついて個々に対応することができる。
【００２５】
本願請求項２記載のコンクリート構造物の補修方法によれば、コンクリート構造物に発生したひび割れによる応力によって、容器内から補修材料を流出させてひび割れに充填し硬化させるため、ひび割れが発生するのとほぼ同時に、しかも自動的にこのひび割れを補修することができる。よって、ひび割れがさらに拡大するのを防ぐことができるとともに、内部の鉄筋が腐食するのを防止することができ、早期にコンクリート構造物を補修することができる。
【図面の簡単な説明】
【図１】本発明のコンクリート構造物の補修方法を示す説明図であり、（ａ）はコンクリート構造物の正面図であり、（ｂ）は（ａ）中のＡ−Ａに沿った断面図である。
【図２】本発明のコンクリート構造物の補修部材の実施形態を示す斜視図である。
【図３】従来のコンクリート構造物の補修方法の作業手順を示す説明図であり、（ａ）はコンクリート構造物の正面図であり、（ｂ）はコンクリート外壁に発生したひび割れを拡大して示す断面図である。
【符号の説明】
１  ひび割れ
１０  コンクリート外壁（コンクリート構造物）
２０  補修部材
２１  容器
２２  補修材料
２３  仕切り
【図１】
0003603434.tif 000002
【図２】
0003603434.tif 000003
【図３】
0003603434.tif 000004